【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
入力された検索条件に合致するページまたは画像要素を含む文書データを検索する文書検索手段と、
前記文書検索手段の検索結果に基づいて、前記検索条件に合致するページまたは画像要素を含む文書データの一覧表示を表示手段に表示する検索結果リスト表示手段と、
前記検索結果リスト表示手段による前記一覧表示中に表示される文書データそれぞれに対して、前記検索条件に合致したページまたは画像要素に関する第１サムネール画像と、当該表示される文書データに含まれ且つ前記検索条件に合致したページまたは画像要素と異なる別のページまたは別の画像要素に関する第２サムネール画像と、を表示するサムネール表示手段と
を備えることを特徴とする文書検索装置。
【請求項２】
前記サムネール表示手段は、前記ページまたは画像要素の並び順に基づき、前記第２サムネール画像を、前記第１サムネール画像の前または後に配置して前記一覧表示中に表示することを特徴とする請求項１に記載の文書検索装置。
【請求項３】
前記サムネール表示手段により表示される第２サムネール画像は、前記検索条件に合致したページまたは画像要素に隣接する別のページまたは別の画像要素に関するサムネール画像を含むことを特徴とする請求項１に記載の文書検索装置。
【請求項４】
前記サムネール表示手段により表示される第２サムネール画像は、前記表示される文書データに含まれ且つ前記検索条件に合致したページまたは画像要素と異なる別のページまたは別の画像要素に関するサムネール画像である、当該文書データの先頭若しくは末尾のページまたは先頭若しくは末尾の画像要素に関するサムネール画像を含むことを特徴とする請求項１または３に記載の文書検索装置。
【請求項５】
前記表示される第２サムネール画像は、前記検索条件に合致したページまたは画像要素に隣接する別のページまたは別の画像要素から順に、並び順に基づき選択された複数の別のページまたは複数の別の画像要素それぞれに関する複数のサムネール画像を含むことを特徴とする請求項１に記載の文書検索装置。
【請求項６】
前記表示される第２サムネール画像は、前記検索条件に合致したページまたは画像要素を含む文書データを構成する先頭若しくは末尾のページまたは先頭若しくは末尾の画像要素から順に、並び順に基づき選択された複数の別のページまたは複数の別の画像要素それぞれに関する複数のサムネール画像を含むことを特徴とする請求項１または５に記載の文書検索装置。
【請求項７】
前記表示される第２サムネール画像の表示数を設定する表示数設定手段を更に備え、
前記サムネール表示手段は、前記表示数設定手段で設定された表示数に従い、前記第２サムネール画像として表示する前記別のページまたは前記別の画像要素を選択し、当該選択した別のページまたは別の画像要素に関する前記第２サムネール画像を表示することを特徴とする請求項５または６に記載の文書検索装置。
【請求項８】
前記サムネール表示手段は、前記第１サムネール画像を前記第２サムネール画像より大きいサイズで表示することを特徴とする請求項１に記載の文書検索装置。
【請求項９】
前記文書検索手段により検索された前記文書データの内容を示すサムネール画像をアニメーション表示するための設定を行うアニメーション表示設定手段を更に備え、
前記サムネール表示手段は前記アニメーション表示設定手段の設定に従い前記第１サムネール画像と第２サムネール画像とをアニメーション表示することを特徴とする請求項１に記載の文書検索装置。
【請求項１０】
前記文書検索手段の検索結果を絞り込むための条件を設定する表示フィルタ設定手段を更に備え、
前記検索結果リスト表示手段は、前記表示フィルタ設定手段により設定された条件により絞り込まれた検索結果を前記表示手段に表示することを特徴とする請求項１に記載の文書検索装置。
【請求項１１】
前記検索条件には検索キー画像が含まれ、当該検索キー画像は、スキャンによって得た画像もしくは記憶装置に保存されている画像の少なくともいずれかを用いることを特徴とする請求項１に記載の文書検索装置。
【請求項１２】
前記検索条件に合致したページまたは画像要素が、１つの文書データ内に複数存在した場合、前記サムネール表示手段は、前記検索条件に合致したページまたは画像要素それぞれに関する複数の第１サムネールと、当該表示される文書データに含まれ且つ前記検索条件に合致したページまたは画像要素と異なる別のページまたは別の画像要素に関する第２サムネール画像と、を表示することを特徴とする請求項１に記載の文書検索装置。
【請求項１３】
前記検索条件に合致したページまたは画像要素が、１つの文書データ内に複数存在した場合、前記サムネール表示手段で表示する前記第１サムネール画像は、優先条件にしたがって選択したページまたは画像要素に関するサムネール画像であることを特徴とする請求項１に記載の文書検索装置。
【請求項１４】
表示手段を備える文書検索装置の文書検索方法であって、
前記文書検索装置の文書検索手段が、入力された検索条件に合致するページまたは画像要素を含む文書データを検索する文書検索工程と、
前記文書検索装置の検索結果リスト表示手段が、前記文書検索工程の検索結果に基づいて、前記検索条件に合致するページまたは画像要素を含む文書データの一覧表示を前記表示手段に表示する検索結果リスト表示工程と、
前記文書検索装置のサムネール表示手段が、前記検索結果リスト表示工程による前記一覧表示中に表示される文書データそれぞれに対して、前記検索条件に合致したページまたは画像要素に関する第１サムネール画像と、当該表示される文書データに含まれ且つ前記検索条件に合致したページまたは画像要素と異なる別のページまたは別の画像要素に関する第２サムネール画像と、を表示するサムネール表示工程と
を有することを特徴とする文書検索装置の文書検索方法。
【請求項１５】
コンピュータを、請求項１乃至１３のいずれか１項に記載の文書検索装置として機能させるためのコンピュータプログラム。
【請求項１６】
コンピュータを、請求項１乃至１３のいずれか１項に記載の文書検索装置として機能させるためのコンピュータプログラムを記憶したことを特徴とするコンピュータ可読の記憶媒体。
【手続補正２】
【補正対象書類名】明細書
【補正対象項目名】００１４
【補正方法】変更
【補正の内容】
【００１４】
上記の少なくともいずれかの目的を達成する本発明に係る文書検索装置は、
入力された検索条件に合致するページまたは画像要素を含む文書データを検索する文書検索手段と、
前記文書検索手段の検索結果に基づいて、前記検索条件に合致するページまたは画像要素を含む文書データの一覧表示を表示手段に表示する検索結果リスト表示手段と、
前記検索結果リスト表示手段による前記一覧表示中に表示される文書データそれぞれに対して、前記検索条件に合致したページまたは画像要素に関する第１サムネール画像と、当該表示される文書データに含まれ且つ前記検索条件に合致したページまたは画像要素と異なる別のページまたは別の画像要素に関する第２サムネール画像と、を表示するサムネール表示手段と
を備えることを特徴とする。
【手続補正３】
【補正対象書類名】明細書
【補正対象項目名】００１５
【補正方法】変更
【補正の内容】
【００１５】
あるいは、上記の少なくともいずれかの目的を達成する本発明に係る文書検索方法は、表示手段を備える文書検索装置の文書検索方法であって、
前記文書検索装置の文書検索手段が、入力された検索条件に合致するページまたは画像要素を含む文書データを検索する文書検索工程と、
前記文書検索装置の検索結果リスト表示手段が、前記文書検索工程の検索結果に基づいて、前記検索条件に合致するページまたは画像要素を含む文書データの一覧表示を前記表示手段に表示する検索結果リスト表示工程と、
前記文書検索装置のサムネール表示手段が、前記検索結果リスト表示工程による前記一覧表示中に表示される文書データそれぞれに対して、前記検索条件に合致したページまたは画像要素に関する第１サムネール画像と、当該表示される文書データに含まれ且つ前記検索条件に合致したページまたは画像要素と異なる別のページまたは別の画像要素に関する第２サムネール画像と、を表示するサムネール表示工程と
を有することを特徴とする。